(57)【要約】【課題】個々のリスクを総合的に評価した総合リスクの範囲とレベルを地図表示したリスク情報を提供する。【解決手段】リスク情報提供システムは、地図データベース１と、評価対象地域の座標を選択して入力し、評価対象となる複数のリスクの種類を入力するデータ入力部２と、座標上における複数種類のリスク値を記憶している地域別各種リスク値データベース３と、地域別各種リスク値データベース３から、入力された評価対象地域および評価対象となる複数種類のリスク値を抽出する評価対象リスク値データ抽出部４と、抽出された複数種類のリスク値を用いて評価対象地域の座標上の総合リスク値を算出する評価対象地域総合リスク値算出部６と、総合リスク値等値線を作成する総合リスク値等値線作成部９と、総合リスク値等値線と地図データとを重ね合わせて表示するデータ出力部１０と、を有する。【選択図】図１
2009025970.tif 000002
【特許請求の範囲】
【請求項１】
地図上の座標に対応した地図データを記憶している地図データベースと、
前記地図データベースから評価対象地域の地図上の座標を選択して入力し、評価対象となる複数の異なるリスクの種類を入力するデータ入力部と、
地図の座標上における複数の異なる種類のリスク値を記憶している地域別各種リスク値データベースと、
前記地域別各種リスク値データベースから、前記データ入力部に入力された評価対象地域および評価対象となる複数の異なるリスクの種類に関する地図の座標上における複数の異なる種類のリスク値を抽出する評価対象リスク値データ抽出部と、
前記評価対象リスク値データ抽出部で抽出された複数の異なる種類のリスク値を用いて、評価対象地域の地図の座標上の総合リスク値を算出する評価対象地域総合リスク値算出部と、
前記評価対象地域総合リスク値算出部で算出された総合リスク値が等しい位置を地図上で連ねた総合リスク値等値線を作成する総合リスク値等値線作成部と、
前記総合リスク値等値線作成部で作成された総合リスク値等値線と前記地図データベースに記憶された地図データとを重ね合わせて表示するデータ出力部と、
を有することを特徴とするリスク情報提供システム。
【請求項２】
評価対象となる複数の異なる種類のリスクを相互に比較した重要度を用いて、評価対象となる複数の異なる種類のリスク値の重み係数を算出する評価対象リスク重み係数算出部をさらに有し、
前記データ入力部は、前記重要度を入力する機能を有し、
前記評価対象地域総合リスク値算出部は、前記評価対象リスク値データ抽出部で抽出された複数の異なる種類のリスク値に、前記評価対象リスク重み係数算出部で算出された評価対象となる複数の異なる種類のリスク値の重み係数を掛けて総和をとることによって、評価対象地域の地図の座標上の総合リスク値を算出すること、
を特徴とする請求項１に記載のリスク情報提供システム。
【請求項３】
地域別の各種施設の位置と情報を記憶している地域別各種施設情報データベースと、
前記の地域別各種施設情報データベースから、必要とする施設の位置と情報を抽出する評価対象地域各種施設情報抽出部と、
をさらに有し、
前記データ入力部は、評価対象地域の各種施設の情報の中で必要とする施設およびその情報を入力する機能を有し、
前記データ出力部は、前記地図データおよび総合リスク値の前記等値線と共に、前記評価対象地域各種施設情報抽出部で抽出された施設の位置と情報を表示する機能を有すること、
を特徴とする請求項１または２に記載のリスク情報提供システム。
【請求項４】
前記の複数の異なる種類のリスク値はそれぞれ規格化されたリスク値であることを特徴とする請求項１ないし請求項３のいずれか一項に記載のリスク情報提供システム。
【請求項５】
地図上の座標に対応した地図データから評価対象地域の地図上の座標を選択して入力するとともに、評価対象となる複数の異なるリスクの種類を入力し、
地図の座標上における複数の異なる種類のリスク値に関する地域別各種リスク値データから、前記評価対象地域および評価対象となる複数の異なるリスクの種類に関する地図の座標上における複数の異なる種類のリスク値を抽出し、
前記の抽出された複数の異なる種類のリスク値を用いて、評価対象地域の地図の座標上の総合リスク値を算出し、
前記算出された総合リスク値が等しい位置を地図上で連ねた総合リスク値等値線を作成し、
前記総合リスク値等値線と前記地図データとを重ね合わせて表示すること、を特徴とするリスク情報提供方法。
【請求項６】
前記データ入力では、評価対象となる複数の異なる種類のリスクを相互に比較した重要度の入力を行ない、
前記重要度を用いて、評価対象となる複数の異なる種類のリスク値の重み係数を算出する評価対象リスクの重み係数の算出を行ない、
前記評価対象地域の総合リスク値の算出では、前記の抽出された複数の異なる種類のリスク値に、前記評価対象リスク重み係数算出部で算出された評価対象となる複数の異なる種類のリスク値の重み係数を掛けて総和をとることによって、評価対象地域の地図の座標上の総合リスク値を算出することを特徴とする請求項５に記載のリスク情報提供方法。
【請求項７】
評価対象地域の各種施設の情報の中で必要とする施設およびその情報の入力を行ない、
地域別の各種施設の位置と情報に関する地域別各種施設情報データから、前記施設の位置と情報を抽出し、
前記地図データおよび総合リスク値の前記等値線と共に、前記施設の位置と情報を表示することを特徴とする請求項５または６に記載のリスク情報提供方法。
【請求項８】
前記の複数の異なる種類のリスク値はそれぞれ規格化されたリスク値であることを特徴とする請求項５ないし請求項７のいずれか一項に記載のリスク情報提供方法。
【請求項９】
コンピュータに、
地図上の座標に対応した地図データから評価対象地域の地図上の座標を選択して入力するとともに、評価対象となる複数の異なるリスクの種類を入力し、
地図の座標上における複数の異なる種類のリスク値に関する地域別各種リスク値データから、前記評価対象地域および評価対象となる複数の異なるリスクの種類に関する地図の座標上における複数の異なる種類のリスク値を抽出し、
前記の抽出された複数の異なる種類のリスク値を用いて、評価対象地域の地図の座標上の総合リスク値を算出し、
前記算出された総合リスク値が等しい位置を地図上で連ねた総合リスク値等値線を作成し、
前記総合リスク値等値線と前記地図データとを重ね合わせて表示する、
機能を実行させること、を特徴とするリスク情報提供プログラム。
【発明の詳細な説明】
【技術分野】
【０００１】
本発明は、各地域の種々のリスクを総合的に評価して地図とともに表示するためのリスク情報提供システム、リスク情報提供方法およびリスク情報提供プログラムに関する。
【背景技術】
【０００２】
従来、地震リスクや洪水リスクのような個々のリスクが各地域でどの位のレベルにあるかのリスク情報を提供するものとして、ハザードマップがある（たとえば、特許文献１、特許文献２、特許文献３を参照）。これらは、個々のリスクの範囲とレベルを地図表示したリスク情報を提供するものである。
【特許文献１】特許第３４２８９４９号公報
【特許文献２】特開２００５−１５６９５３号公報
【特許文献３】特開２００３−１６８１７９号公報
【非特許文献１】藤田恒夫著「全訂システム分析の基礎」、酒井書店（１９８３）、ｐｐ．１３２−１３５
【発明の開示】
【発明が解決しようとする課題】
【０００３】
しかしながら、上述の従来のリスク情報の提供では、次のような課題があった。すなわち、提供されるリスク情報が個々のリスクを総合的に勘案して評価した総合リスクの範囲とレベルを地図表示したものではないので、たとえば、各種施設の建設地を決めたり、居住地を決めたりするような様々な情報を総合的に勘案して利用者が意思決定することが求められる場合に役立つものではない。さらに、リスクの種類には、地震リスク、洪水リスク、津波リスク、犯罪リスク、交通事故リスクなど様々なものがあり、利用者によって重要視するものが異なるため、各利用者の志向や興味に合わせたリスク情報を提供することが重要であるが、そのようなリスク情報が提供されていない。
【０００４】
本発明は上述した課題を解決するためになされたものであり、個々のリスクを総合的に勘案して評価した総合リスクの範囲とレベルを地図表示したリスク情報を提供するとともに、各利用者の志向や興味に合わせたリスク情報を提供することを可能とすることを目的とする。
【課題を解決するための手段】
【０００５】
上記目的を達成するために、本発明に係るリスク情報提供システムは、地図上の座標に対応した地図データを記憶している地図データベースと、前記地図データベースから評価対象地域の地図上の座標を選択して入力し、評価対象となる複数の異なるリスクの種類を入力するデータ入力部と、地図の座標上における複数の異なる種類のリスク値を記憶している地域別各種リスク値データベースと、前記地域別各種リスク値データベースから、前記データ入力部に入力された評価対象地域および評価対象となる複数の異なるリスクの種類に関する地図の座標上における複数の異なる種類のリスク値を抽出する評価対象リスク値データ抽出部と、前記評価対象リスク値データ抽出部で抽出された複数の異なる種類のリスク値を用いて、評価対象地域の地図の座標上の総合リスク値を算出する評価対象地域総合リスク値算出部と、前記評価対象地域総合リスク値算出部で算出された総合リスク値が等しい位置を地図上で連ねた総合リスク値等値線を作成する総合リスク値等値線作成部と、前記総合リスク値等値線作成部で作成された総合リスク値等値線と前記地図データベースに記憶された地図データとを重ね合わせて表示するデータ出力部と、を有することを特徴とする。
【０００６】
また、本発明に係るリスク情報提供方法は、地図上の座標に対応した地図データから評価対象地域の地図上の座標を選択して入力するとともに、評価対象となる複数の異なるリスクの種類を入力し、地図の座標上における複数の異なる種類のリスク値に関する地域別各種リスク値データから、前記評価対象地域および評価対象となる複数の異なるリスクの種類に関する地図の座標上における複数の異なる種類のリスク値を抽出し、前記の抽出された複数の異なる種類のリスク値を用いて、評価対象地域の地図の座標上の総合リスク値を算出し、前記算出された総合リスク値が等しい位置を地図上で連ねた総合リスク値等値線を作成し、前記総合リスク値等値線と前記地図データとを重ね合わせて表示すること、を特徴とする。
【０００７】
また、本発明に係るリスク情報提供プログラムは、コンピュータに、地図上の座標に対応した地図データから評価対象地域の地図上の座標を選択して入力するとともに、評価対象となる複数の異なるリスクの種類を入力し、地図の座標上における複数の異なる種類のリスク値に関する地域別各種リスク値データから、前記評価対象地域および評価対象となる複数の異なるリスクの種類に関する地図の座標上における複数の異なる種類のリスク値を抽出し、前記の抽出された複数の異なる種類のリスク値を用いて、評価対象地域の地図の座標上の総合リスク値を算出し、前記算出された総合リスク値が等しい位置を地図上で連ねた総合リスク値等値線を作成し、前記総合リスク値等値線と前記地図データとを重ね合わせて表示する、機能を実行させること、を特徴とする。
【発明の効果】
【０００８】
本発明によれば、個々のリスクを総合的に勘案して評価した総合リスクの範囲とレベルを地図表示したリスク情報を提供するとともに、各利用者の志向や興味に合わせたリスク情報を提供することが可能になる。
【発明を実施するための最良の形態】
【０００９】
以下、本発明の実施形態を、図面を参照して説明する。
【００１０】
［第１の実施形態］
本発明のシステムにおける第１の実施形態を、図面を参照して説明する。図１は、本実施形態のリスク情報提供システムのブロック構成を示す図である。本実施形態のリスク情報提供システムは、地図データベース１、データ入力部２、地域別各種リスク値データベース３、評価対象リスク値データ抽出部４、評価対象リスク重み係数算出部５、評価対象地域総合リスク値算出部６、地域別各種施設情報データベース７、評価対象地域各種施設情報抽出部８、総合リスク値等値線作成部９、データ出力部１０を有する。
【００１１】
地図データベース１は、地図上の座標に対応した地形、道路、建物等の地図データを記憶している。
【００１２】
データ入力部２は、利用者が地図データベース１から評価対象地域の地図上の座標を選択して入力する。さらに、利用者が評価対象とする複数の異なるリスクの種類、利用者が評価対象とする複数の異なる種類のリスクを相互に比較した重要度、利用者が評価対象地域の各種施設の情報の中で必要とする施設およびその情報を入力する。リスクの種類としては、地震リスク、洪水リスク、津波リスク、犯罪リスク、交通事故リスクなどがある。
【００１３】
図２に、利用者が評価対象として洪水リスク、津波リスク、犯罪リスク、交通事故リスクを選択して、相互に比較した重要度の入力の例を示す。ここで示すのは、改良型クリー法（非特許文献１参照）によって、複数の異なる種類のリスク値の重み係数を算出する場合の例である。この場合、表の１列目に並べて表示されたリスクの種類に対して、上から順に、リスクの種類毎にすぐ下のリスクの種類と比較してその重要度が何倍かを評価し、表の２列目にその値を記入する。最下段のリスクの種類は最上段のリスクの種類と比較する。
【００１４】
地域別各種リスク値データベース３は、地図の座標上における複数の異なる種類のリスク値を記憶している。たとえば、図３のように、地図の座標と複数の異なる種類のリスク値の対応を付けて記憶している。複数の異なる種類のリスク値はそれぞれ規格化されたリスク値であることが望ましい。また、リスク値は後述する総合リスク値の等値線を作成するために、地図の格子点の座標上で求められていることが望ましい。
【００１５】
評価対象リスク値データ抽出部４は、地域別各種リスク値データベース３から、データ入力部２に入力された評価対象地域の地図の座標上および評価対象となる複数の異なるリスクの種類に関するリスク値を抽出する。図４は、利用者が評価対象として洪水リスク、津波リスク、犯罪リスク、交通事故リスクを選択し、リスク値を抽出した例である。
【００１６】
評価対象リスク重み係数算出部５は、データ入力部２で入力された重要度を用いて、評価対象となる複数の異なる種類のリスク値の重み係数を算出する。
【００１７】
図５に、利用者が評価対象として洪水リスク、津波リスク、犯罪リスク、交通事故リスクを選択して、リスク値の重み係数を算出した例を示す。ここで示すのは、改良型クリー法によって、複数の異なる種類のリスク値の重み係数を算出する場合の例である。この場合、データ入力部２で入力された図２の複数の異なる種類のリスクを相互に比較した重要度を用いて、次のようにして重み係数を算出する。
【００１８】
（ｉ）表の３列目の規格化していない重み係数を求める。最下段（図５では交通事故リスク）の重要度をそのまま最下段の規格化していない重み係数とする。すぐ上のリスクの種類（図５では犯罪リスク）の規格化していない重み係数はその重要度（図５では０．５）に最下段の規格化していない重み係数をかけたものとなる。さらに、下から順に、リスクの種類の規格化していない重み係数はその重要度に、すぐ下のリスクの種類の規格化していない重み係数をかけたものにする手順を最上段まで行なう。
【００１９】
（ｉｉ）最上段の規格化していない重み係数が１．０となれば、データ入力部２で入力されたリスクの種類の重要度に一致性があり最も望ましい形であるが、しばしばそうはならない。１．０よりも大きくなったり、小さくなったりすることが避けられないが、これがある許容範囲（たとえば、０．８〜１．２）になるときは次の手順に進むが、それを外れるときはもう一度、データ入力部２に戻って複数の異なる種類のリスクを相互に比較した重要度を見直して再入力する。
【００２０】
（ｉｉｉ）上記（ｉｉ）で求めたリスクの種類の規格化していない重み係数の合計（図５では７．５）でそれぞれのリスクの種類の規格化していない重み係数を規格化して、最終的な重み係数とする（図５の４列）。
【００２１】
評価対象地域総合リスク値算出部６は、式１のように、評価対象リスク値データ抽出部４で抽出された評価対象となる複数の異なる種類のリスク値に、評価対象リスク重み係数算出部５で算出された評価対象となる複数の異なる種類のリスク値の重み係数を掛けて総和をとることによって、評価対象地域の地図の座標上の総合リスク値を算出する。
【数１】
2009025970.tif 000003
【００２２】
ここで、Ｖtotal（ｘｉ，ｙｉ）は評価対象地域の地図の座標（ｘｉ，ｙｉ）上の総合リスク値、λｋは評価対象となる複数の異なる種類のリスク値の重み係数、Ｖｋ（ｘｉ，ｙｉ）は評価対象地域の地図の座標（ｘｉ，ｙｉ）上の評価対象となる複数の異なる種類のリスク値、Ｎはリスクの種類の総数である。図６は、利用者が評価対象として洪水リスク、津波リスク、犯罪リスク、交通事故リスクを選択した場合に、図４の抽出したリスク値と、図５のリスク値の重み係数を用いて、評価対象地域の地図の座標（ｘｉ，ｙｉ）上の総合リスク値を算出した例である。
【００２３】
総合リスク値等値線作成部９は、評価対象地域総合リスク値算出部６で算出された評価対象地域の地図の座標上の総合リスク値を用いて、この総合リスク値が等しい位置を地図上で連ねることによって、所定の間隔を持った総合リスク値の等値線を作成する。たとえば、図７のような格子点の座標上で算出された総合リスク値を用いて、次のようにして等値線を作成する。
【００２４】
図８は、等値線作成のフローチャートである。まず、ある等値線の値を選択して（ステップＳ１）、ある要素を選択する（ステップＳ２）。ある要素の外形線分に対し、等値線の値との交点が存在する場合、図９のように、その交点をつなぎ、要素内の等値線を生成する（ステップＳ３）。この操作をすべての要素に対して行なう（ステップＳ４）ことにより、図１０のような等値線が作成される。この処理をすべての等値線の値に対して繰り返す（ステップＳ５）ことにより、所定の間隔を持った総合リスク値の等値線が作成される。
【００２５】
地域別各種施設情報データベース７は、地域別の各種施設の位置と情報を記憶している。
【００２６】
評価対象地域各種施設情報抽出部８は、地域別各種施設情報データベース７から、データ入力部２から入力された必要とする施設の位置と情報を抽出する。
【００２７】
データ出力部１０は、地図データベース１の評価対象地域の地図上の座標に対応した地形、道路、建物等のデータを表示する。さらに、総合リスク値等値線作成部９で作成された所定の総合リスク値の間隔を持った等値線を表示し、評価対象地域各種施設情報抽出部８で抽出された必要とする施設の位置と情報を表示する。図１１にデータ出力部の表示結果の例を示す。ここでは、マンションの位置と情報が示されている。
【００２８】
本実施形態によれば、個々のリスクを総合的に勘案して評価した総合リスクの範囲とレベルを地図表示したリスク情報を提供するとともに、各利用者の志向や興味に合わせたリスク情報を提供することが可能となる。
【００２９】
以上説明したリスク情報提供システムは、一般的な汎用コンピュータにプログラムを実行させることによって実現することができる。
【００３０】
また、プログラムは、コンピュータ読み取り可能な記録媒体に記録することができる。この記録媒体としては、図１２に示すように、たとえば、ハードディスク１１００、フレキシブルディスク１２００、コンパクトディスク１３００、ＩＣチップ１４００、カセットテープ１５００がある。このようなプログラムを記録した記録媒体によれば、プログラムの保存、運搬、販売などを容易に行なうことができる。
【００３１】
［第２の実施形態］
本発明のシステムにおける第２の実施形態を、図面を参照して説明する。ここで、第１の実施形態と同一または類似の部分には共通の符号を付して、重複説明は省略する。
【００３２】
第２の実施形態は、第１の実施形態において、地域別各種施設情報データベース７および評価対象地域各種施設情報抽出部８を省略したシステムとするものである。新規の施設や建物等の建設計画のための情報を得るためには、このようなシステムで十分である。
【００３３】
図１３は、本実施形態のリスク情報提供システムのブロック構成を示す図である。本実施形態のリスク情報提供システムは、地図データベース１、データ入力部２、地域別各種リスク値データベース３、評価対象リスク値データ抽出部４、評価対象リスク重み係数算出部５、評価対象地域総合リスク値算出部６、総合リスク値等値線作成部９、データ出力部１０を有する。
【００３４】
データ出力部１０は、地図データベース１の評価対象地域の地図上の座標に対応した地形、道路、建物等のデータを表示する。図１４に、本実施形態におけるデータ出力部１０の表示結果の例を示す。
【００３５】
［他の実施形態］
以上、本発明の実施形態の例を説明したが、これらは単なる例示であって、本発明を限定するものではない。また、実施形態やその変更例に記載された作用および効果は、本発明から生じる最も好適な作用および効果を列挙したに過ぎず、本発明による作用および効果は、本発明の実施形態やその変形例に記載されたものに限定されるものではない。
【図面の簡単な説明】
【００３６】
【図１】本発明に係るリスク情報提供システムの第１の実施形態の機能構成を示すブロック図である。
【図２】図１のリスク情報提供システムのデータ入力部における、利用者が評価対象とする複数の異なる種類のリスクを相互に比較した重要度の入力の例を示す図である。
【図３】図１のリスク情報提供システムの地域別各種リスク値データベースにおける、地図の座標と複数の異なる種類のリスク値の対応の例を示す図である。
【図４】図１のリスク情報提供システムの評価対象リスク値データ抽出部における、地域別各種リスク値データベースから、データ入力部に入力された評価対象地域の地図の座標上および評価対象となる複数の異なるリスクの種類に関するリスク値を抽出した例を示す図である。
【図５】図１のリスク情報提供システムの評価対象リスク重み係数算出部において、利用者が評価対象とする複数の異なる種類のリスク値の重み係数を算出した例を示す図である。
【図６】図１のリスク情報提供システムにおいて、図４の抽出したリスク値と、図５のリスク値の重み係数を用いて、評価対象地域の地図の座標上の総合リスク値を算出した例を示す図である。
【図７】図１のリスク情報提供システムにおける格子点データを具体的に示す図である。
【図８】図１のリスク情報提供システムにおける等値線作成の手順を示すフローチャートである。
【図９】図１のリスク情報提供システムにおける等値線作成を説明する図である。
【図１０】図１のリスク情報提供システムにおける等値線作成を説明する図である。
【図１１】図１のリスク情報提供システムのデータ出力部の表示結果の例を示す図である。
【図１２】図１のリスク情報提供システムのプログラムを格納する記録媒体を示す図である。
【図１３】本発明に係るリスク情報提供システムの第２の実施形態の機能構成を示すブロック図である。
【図１４】図１３のリスク情報提供システムのデータ出力部の表示結果の例を示す図である。
【符号の説明】
【００３７】
１…地図データベース、２…データ入力部、３…地域別各種リスク値データベース、４…評価対象リスク値データ抽出部、５…評価対象リスク重み係数算出部、６…評価対象地域総合リスク値算出部、７…地域別各種施設情報データベース、８…評価対象地域各種施設情報抽出部、９…総合リスク値等値線作成部、１０…データ出力部、２０…要素、２１…等値線、１１００…ハードディスク、１２００…フレキシブルディスク、１３００…コンパクトディスク、１４００…ＩＣチップ、１５００…カセットテープ
【図１】
2009025970.tif 000004
【図２】
2009025970.tif 000005
【図３】
2009025970.tif 000006
【図４】
2009025970.tif 000007
【図５】
2009025970.tif 000008
【図６】
2009025970.tif 000009
【図７】
2009025970.tif 000010
【図８】
2009025970.tif 000011
【図９】
2009025970.tif 000012
【図１０】
2009025970.tif 000013
【図１１】
2009025970.tif 000014
【図１２】
2009025970.tif 000015
【図１３】
2009025970.tif 000016
【図１４】
2009025970.tif 000017